(57)【特許請求の範囲】
【請求項１】
読取部と、把持部と、載置部とを備え、載置型の状態又は携帯型の状態で使用されるコード読取装置であって、
揺動軸を中心に揺動可能に前記載置部に等角度で設けられた少なくとも３つの脚部と、
押し下げられることにより、前記少なくとも３つの脚部を少なくとも３方向に開脚した前記載置型の状態とし、押し上げられることにより、前記少なくとも３つの脚部を閉脚した前記携帯型の状態とする脚部開閉レバーを備える、コード読取装置。
【請求項２】
前記脚部開閉レバーに連結されて、前記少なくとも３つの脚部の中心に位置する押し下げ部をさらに備え、
前記脚部開閉レバーを押し下げた場合、前記押し下げ部が前記少なくとも３つの脚部それぞれの基端部を押し下げることにより、前記少なくとも３つの脚部それぞれが前記揺動軸を中心に揺動して開脚し前記載置型の状態となる、請求項１に記載のコード読取装置。
【請求項３】
トリガースイッチをさらに備え、
前記載置型の状態では、所定の時間間隔で前記読取部がコードの読み取りを行う載置モードで動作し、前記携帯型の状態では、前記トリガースイッチを操作することにより前記読取部がコードの読み取りを行う携帯モードで動作する、請求項１又は２に記載のコード読取装置。
【請求項４】
前記脚部開閉レバーの位置を検知するセンサと、
前記センサの検出結果に基づいて、前記載置型の状態であるか前記携帯型の状態であるかを検知する検知部をさらに備える、請求項３に記載のコード読取装置。
【請求項５】
前記載置モードと前記携帯モードとを切り換える切換スイッチを有する、請求項３に記載のコード読取装置。
【請求項６】
前記脚部開閉レバーを押し上げた場合、前記押し下げ部の、前記少なくとも３つの脚部それぞれの基端部に対する押し下げが解除されることにより、前記少なくとも３つの脚部それぞれが前記揺動軸を中心に揺動して閉脚し前記携帯型の状態となる、請求項２に記載のコード読取装置。
【請求項７】
前記少なくとも３つの脚部は、前記携帯型の状態で閉脚して一つに束ねられた状態となる、請求項１から６のいずれか１項に記載のコード読取装置。
【請求項８】
前記閉脚して一つに束ねられた状態の前記少なくとも３つの脚部の直径は、前記把持部の直径及び前記載置部の直径と略等しい、請求項７に記載のコード読取装置。
【発明の詳細な説明】
【技術分野】
【０００１】
本発明は、コード読取装置に関する。
【背景技術】
【０００２】
ユーザが片手で把持する把持部と、把持部の下端部に設けられスタンドとして機能する載置部と、を備えたコード（１次元バーコードや２次元バーコード）読取装置が提案されている（例えば、特許文献１参照）。
【先行技術文献】
【特許文献】
【０００３】
【特許文献１】特開２０１８−４９３０９号公報
【発明の概要】
【発明が解決しようとする課題】
【０００４】
しかしながら、特許文献１に記載のコード読取装置においては、コード読取装置を載置面に安定した状態で載置するため、載置面に対する載置部の投影面積が載置面に対する把持部の投影面積より大きくなるように載置部が構成されている。そのため、ユーザが片手で把持してコード読取装置を使用する際、載置部が周囲の物にぶつかる等して、コードのスムーズな読み取り動作が妨げられる等の悪影響を及ぼす恐れがある。
【０００５】
本発明の目的は、上述した課題を鑑み、ユーザが片手で把持してコード読取装置を使用する際、載置部が周囲の物にぶつかる等して、コードのスムーズな読み取り動作が妨げられる等の悪影響を及ぼすことを抑制できるコード読取装置を提供することにある。
【課題を解決するための手段】
【０００６】
本発明のコード読取装置は、読取部と、把持部と、載置部とを備え、載置型の状態又は携帯型の状態で使用されるコード読取装置であって、揺動軸を中心に揺動可能に前記載置部に等角度で設けられた少なくとも３つの脚部と、押し下げられることにより、前記少なくとも３つの脚部を少なくとも３方向に開脚した前記載置型の状態とし、押し上げられることにより、前記少なくとも３つの脚部を閉脚した前記携帯型の状態とする脚部開閉レバーを備える。
【発明の効果】
【０００７】
本発明により、ユーザが片手で把持してコード読取装置を使用する際、載置部が物にぶつかる等して、コードのスムーズな読み取り動作が妨げられる等の悪影響を及ぼすことがないコード読取装置を提供することができる。
【図面の簡単な説明】
【０００８】
【図１】コード読取装置１０の斜視図（脚部４２が開脚した載置型の状態）である。
【図２】コード読取装置１０の斜視図（脚部４２が閉脚した携帯型の状態）である。
【図３】図１の上面図である。
【図４】図３のＡ−Ａ断面図である。
【図５】図２のＡ−Ａ断面図に相当する断面図である。
【図６】把持部３０の後部の拡大図である。
【図７】携帯型の状態のコード読取装置１０を片手で把持した様子を表す斜視図である。
【図８】コード読取装置１０の電気的な構成を示すブロック図である。
【図９】コード読取装置１０（コード読取処理）の動作の一例のフローチャートである。
【発明を実施するための形態】
【０００９】
（実施形態１）
以下、本発明の実施形態１であるコード読取装置１０について添付図面を参照しながら説明する。各図において対応する構成要素には同一の符号が付され、重複する説明は省略される。
【００１０】
図１は、実施形態１のコード読取装置１０の斜視図である。
【００１１】
図１に示すように、実施形態１のコード読取装置１０は、読取部２０と、把持部３０と、載置部４０とを備え、載置型の状態（図１参照）又は携帯型（図２参照）の状態で使用されるコード読取装置である。
【００１２】
図３に示すように、載置部４０には、揺動軸４３を中心に揺動可能に等角度で少なくとも３つの脚部４２が設けられている。
【００１３】
また、コード読取装置１０は、押し下げられることにより、少なくとも３つの脚部４２を少なくとも３方向に開脚した載置型の状態（図１参照）とし、押し上げられることにより、少なくとも３つの脚部４２を閉脚した携帯型の状態（図２参照）とする脚部開閉レバー５２（図４参照）を備えている。
【００１４】
以上説明したように、実施形態１によれば、ユーザが片手で把持してコード読取装置１０を使用する際、載置部４０（基台部４１及び脚部４２）が周囲の物にぶつかる等して、コードのスムーズな読み取り動作が妨げられる等の悪影響を及ぼすことを抑制できる。
【００１５】
これは、ユーザが片手で把持してコード読取装置１０を使用する際、コード読取装置１０を脚部４２が閉脚した携帯型の状態（図２参照）にすることができることによるものである。
【００１６】
（実施形態２）
以下、本発明の実施形態２であるコード読取装置１０について添付図面を参照しながらさらに詳細に説明する。
【００１７】
図１は、実施形態２のコード読取装置１０の斜視図（脚部４２が開脚した載置型の状態）である。図２は、実施形態２のコード読取装置１０の斜視図（脚部４２が閉脚した携帯型の状態）である。
【００１８】
コード読取装置１０は、脚部開閉レバー５２を最下部まで押し下げることで、脚部４２が開脚した載置型の状態（図１参照）にすることができる。一方、コード読取装置１０は、脚部開閉レバー５２を最上部まで押し上げることで、脚部４２が閉脚した携帯型の状態（図２参照）にすることができる。以下、コード読取装置１０を載置型の状態又は携帯型の状態にするための構成を中心に説明する。
【００１９】
図１、図２に示すように、コード読取装置１０は、コードを読み取る読取部２０と、ユーザが片手で把持する把持部３０と、載置部４０（基台部４１及び基台部４１に設けられた脚部４２）と、を備えている。以下、説明の便宜のため、図１、図２に示すように、「上」、「下」、「前」、「後」、「右」、「左」を定義する。
【００２０】
図３は図１の上面図、図４は図３のＡ−Ａ断面図である。図５は、図２のＡ−Ａ断面図に相当する断面図である。
【００２１】
読取部２０は、コードを光学的に読み取る部分である。図４等に示すように、読取部２０は、把持部３０の上端部に設けられている。読取部２０が読み取るコードは、例えば、１次元バーコードや２次元バーコードである。読取部２０としては、公知のコードを光学的に読み取る読取部を用いることができる。
【００２２】
把持部３０は、コード読取装置１０を携帯型の状態にした場合に、ユーザが片手で把持する部分である。把持部３０は、ユーザが片手で把持しやすいように、断面形状が楕円形状で概ね上下方向に延びる中空の筒状に構成されている。把持部３０の前面のうち上部には、把持部３０を把持したユーザが人差し指でオンオフ操作するトリガースイッチ３１が設けられている。トリガースイッチ３１は、コード読取装置１０を携帯型の状態にした場合に、オンオフ操作することができる。この点は後述する。
【００２３】
基台部４１は、中空の球体で、把持部３０の下端部に設けられている。基台部４１には、脚部４２が揺動可能に設けられている。図３、図４に示すように、脚部４２は、基台部４１（中空の球体）の中心を通り上下方向に延びる基準軸ＡＸを中心に１２０度ごとに合計３つ設けられている。各々の脚部４２は同一の構成であるため、以下、代表して、基台部４１の後部に設けられた脚部４２（図４中右側の脚部４２）について説明する。
【００２４】
図４に示すように、脚部４２は、その基端部４２ａが基台部４１（中空の球体）の下半分に形成された貫通穴Ｈ１に挿入された状態で揺動軸４３を介して基台部４１に連結されている。各々の揺動軸４３は、基準軸ＡＸに直交する同一面内に含まれている。
【００２５】
図５に示すように、脚部４２の基端部４２ａには、コード読取装置１０を携帯型の状態にした場合に、揺動軸４３に対して内側に延びた状態で配置される当接部４２ｂが設けられている。当接部４２ｂは、後述する押し下げ部５３により押し下げられる（図４参照）。これにより、コード読取装置１０は、脚部４２が揺動軸４３を中心に角度θ（図４参照）揺動して開脚した載置型の状態（図１、図４参照）となる。角度θは、例えば、９０°である。
【００２６】
次に、脚部４２を開脚又は閉脚させる脚部開閉機構５０について説明する。
【００２７】
図４に示すように、脚部開閉機構５０は、シャフト５１、脚部開閉レバー５２及び押し下げ部５３を備えている。
【００２８】
シャフト５１は、基台部４１の上部に形成された貫通穴Ｈ２（以下、ガイド穴Ｈ２と呼ぶ）に挿入されている。ガイド穴Ｈ２は、基準軸ＡＸに沿って上下方向に延びている。シャフト５１は、その軸が基準軸ＡＸに一致した状態でガイド穴Ｈ２に挿入されている。
【００２９】
脚部開閉レバー５２は、シャフト５１をガイド穴Ｈ２に沿って昇降させるために用いられる。脚部開閉レバー５２は、シャフト５１の上端部に設けられている。脚部開閉レバー５２は、シャフト５１に対して直交する方向に延びている。図４、図６に示すように、脚部開閉レバー５２の先端部５２ａは、把持部３０の後部に形成された貫通穴Ｈ３（以下、ガイド穴Ｈ３と呼ぶ）から突出している。図６は、把持部３０の後部の拡大図である。ガイド穴Ｈ３は、把持部３０の後部において上下方向に延びている。図６に示すように、ガイド穴Ｈ３の下部には、ガイド穴Ｈ３の最下部まで押し下げられた脚部開閉レバー５２が係合する切欠部Ｈ４が形成されている。ガイド穴Ｈ３の最下部まで押し下げられた脚部開閉レバー５２は、当該脚部開閉レバー５２を図６中矢印Ａで示す方向に移動させる（シャフト５１を中心に回転させる）ことで、切欠部Ｈ４に係合する。
【００３０】
押し下げ部５３は、脚部４２（基端部４２ａに設けられた当接部４２ｂ）を押し下げるために用いられる。図４、図５に示すように、押し下げ部５３は、シャフト５１の下端部に設けられている。押し下げ部５３は、下端に頂点Ｖｘを有する円錐形状の部分である。押し下げ部５３の下端の頂点Ｖｘは、基準軸ＡＸ上に位置している。
【００３１】
次に、コード読取装置１０を、脚部４２が開脚した載置型の状態にする動作について説明する。
【００３２】
まず、図４、図６に示すように、脚部開閉レバー５２をガイド穴Ｈ３の最下部まで押し下げる。これにより、脚部開閉レバー５２が設けられたシャフト５１がガイド穴Ｈ２にガイドされて下降する。これとともに、当該下降するシャフト５１の下端に設けられた押し下げ部５３が、各々の脚部４２（基端部４２ａ）に設けられた当接部４２ｂに当接して当該当接部４２ｂを押し下げる。これにより、各々の脚部４２は、各々の揺動軸４３を中心に角度θ（図４参照）揺動して開脚した載置型の状態となる（図１、図４参照）。
【００３３】
次に、ガイド穴Ｈ２の最下部まで押し下げた脚部開閉レバー５２を図６中矢印Ａで示す方向に移動させる（シャフト５１を中心に回転させる）ことで、当該脚部開閉レバー５２を切欠部Ｈ４に係合させる。これにより、シャフト５１の下端に設けられた押し下げ部５３が、各々の脚部４２（基端部４２ａ）に設けられた当接部４２ｂに当接して当該当接部４２ｂを押し下げる状態が保たれる。すなわち、各々の脚部４２が各々の揺動軸４３を中心に角度θ（図４参照）揺動して開脚した載置型の状態が保たれる。この開脚した状態の各々の脚部４２は、コード読取装置１０を載置面に載置する際に、スタンドとして機能する。
【００３４】
次に、コード読取装置１０を、脚部４２が閉脚した携帯型の状態にする動作について説明する。
【００３５】
まず、脚部開閉レバー５２を図６中矢印Ａと反対の方向に回転させて、切欠部Ｈ４に対する脚部開閉レバー５２の係合を解除する。
【００３６】
次に、図５に示すように、脚部開閉レバー５２をガイド穴Ｈ３の最上部まで押し上げる。これにより、脚部開閉レバー５２が設けられたシャフト５１がガイド穴Ｈ２にガイドされて上昇する。これとともに、当該上昇するシャフト５１の下端に設けられた押し下げ部５３の、各々の脚部４２（基端部４２ａ）に設けられた当接部４２ｂに対する押し下げが解除される。これにより、各々の脚部４２は、各々の揺動軸４３を中心に自重で揺動して閉脚して各々の脚部４２が一つに束ねられた携帯型の状態となる（図２、図５参照）。各々の脚部４２は、基準軸ＡＸを中心に一つに束ねられる。
【００３７】
以上のようにコード読取装置１０を携帯型の状態にした場合、図７に示すように、ユーザは、把持部３０に加えて、基台部４１及び閉脚して一つに束ねられた状態の３つの脚部４２を片手で把持することができる。図７は、携帯型の状態のコード読取装置１０を片手で把持した様子を表す斜視図である。その際、図５に示すように、閉脚して一つに束ねられた状態の３つの脚部４２の直径Ｄ１が把持部３０の直径Ｄ２及び基台部４１の直径Ｄ３と略等しくなるため、ユーザが片手で把持してコード読取装置１０を使用する際、載置部４０（基台部４１及び脚部４２）が周囲の物にぶつかる等して、コードのスムーズな読み取り動作が妨げられる等の悪影響を及ぼすことを抑制できる。
【００３８】
次に、コード読取装置１０の電気的な構成について説明する。
【００３９】
図８は、コード読取装置１０の電気的な構成を示すブロック図である。
【００４０】
図８に示すように、コード読取装置１０は、制御部１１と、読取部２０と、通信部１２と、入力部１３と、モード検知部１４と、を備えている。なお、図４、図５中、制御部１１が実装されている基板等、電気的な部品は省略されている。
【００４１】
制御部１１は、記憶部１１ａを有する。制御部１１は、図示しないが、プロセッサを備えている。プロセッサは、例えば、ＣＰＵ（Central Processing Unit）である。プロセッサは、１つの場合もあるし、複数の場合もある。プロセッサは、記憶部１１ａからＲＡＭ等のメモリ（図示せず）に読み込まれた所定プログラムを実行することで、コード読取装置１０全体の動作を制御する。
【００４２】
通信部１２は、読取部２０により読み取られた結果を無線通信で上位装置（例えばＰＯＳ（Point Of Sales）端末）に送信する。通信部１２は、有線通信を行うものであってもよい。
【００４３】
入力部１３は、例えば、トリガースイッチ３１である。
【００４４】
モード検知部１４は、コード読取装置１０のモードを検知する。具体的には、モード検知部１４は、コード読取装置１０が載置型の状態（載置モード）又は携帯型の状態（携帯モード）のいずれであるかを検知する。モード検知部１４は、例えば、脚部開閉レバー５２の位置を検知する近接センサ等のセンサ（図示せず）の検出結果又はユーザが操作可能な切換スイッチ（載置モードと携帯モードとを切り換える切換スイッチ）の状態に基づいて、コード読取装置１０が載置型の状態（載置モード）であるか携帯型の状態（携帯モード）であるかを検知する。モード検知部１４は、例えば、制御部１１が記憶部１１ａ等に記憶された所定プログラムを実行することで実現される。
【００４５】
次に、上記構成のコード読取装置１０の動作（コード読取処理）の一例について説明する。
【００４６】
図９は、コード読取装置１０（コード読取処理）の動作の一例のフローチャートである。
【００４７】
以下の処理は、制御部１１（プロセッサ）が、記憶部１１ａからＲＡＭ等のメモリ（図示せず）に読み込まれた所定プログラムを実行することで実現される。
【００４８】
まず、モード検知部１４が、コード読取装置１０のモードを検知する（ステップＳ１０）。
【００４９】
次に、ステップＳ１０で検知されたコード読取装置１０のモードが載置モード（脚部４２が開脚した載置型の状態）である場合（ステップＳ１１：「載置モード」）、コード読取装置１０は、所定の時間間隔で読取部２０がコードの読み取りを行う載置モードで動作する。具体的には、制御部１１は、所定時間間隔でコードを読み取るように読取部２０を制御する（ステップＳ１２）。
【００５０】
次に、通信部１２は、ステップＳ１２で読み取られた結果を無線通信で上位装置（例えばＰＯＳ（Point Of Sales）端末）に送信する（ステップＳ１３）。
【００５１】
一方、ステップＳ１０で検知されたコード読取装置１０のモードが携帯モード（脚部４２が閉脚した携帯型の状態）である場合（ステップＳ１１：「携帯モード」）、コード読取装置１０は、トリガースイッチ３１を操作することにより読取部２０がコードの読み取りを行う携帯モードで動作する。具体的には、トリガースイッチ３１がオンされた場合（ステップＳ１４：ＹＥＳ）、制御部１１は、コードを読み取るように読取部２０を制御する（ステップＳ１５）。
【００５２】
次に、通信部１２は、ステップＳ１５で読み取られた結果を無線通信で上位装置（例えばＰＯＳ（Point Of Sales）端末）に送信する（ステップＳ１３）。
【００５３】
一方、ステップＳ１０で検知されたコード読取装置１０のモードが携帯モード（脚部４２が閉脚した携帯型の状態）で（ステップＳ１１：「携帯モード」）、かつ、トリガースイッチ３１がオンされていない場合（ステップＳ１４：ＮＯ）、ステップＳ１４の処理を繰り返し実行する。
【００５４】
以上説明したように、実施形態２によれば、ユーザが片手で把持してコード読取装置１０を使用する際、載置部４０（基台部４１及び脚部４２）が周囲の物にぶつかる等して、コードのスムーズな読み取り動作が妨げられる等の悪影響を及ぼすことを抑制できる。
【００５５】
これは、ユーザが片手で把持してコード読取装置１０を使用する際、コード読取装置１０を脚部４２が閉脚した携帯型の状態にすることができることによるものである。
【００５６】
また、コード読取装置１０を脚部４２が閉脚した携帯型の状態にした場合、図５に示すように、閉脚して一つに束ねられた状態の３つの脚部４２の直径Ｄ１が把持部３０の直径Ｄ２及び基台部４１の直径Ｄ３と略等しくなることによるものである。
【００５７】
次に、変形例について説明する。
【００５８】
上記実施形態２では、脚部として基台部４１（中空の球体）の中心を通り上下方向に延びる基準軸ＡＸを中心に１２０度ごとに設けられた合計３つの脚部４２を用い、各々の脚部４２が３方向に開脚する例について説明したがこれに限らない。例えば、脚部として基準軸ＡＸを中心に等角度ごとに設けられた４つ以上の脚部４２を用い、各々の脚部４２が４方向以上に開脚するようにしてもよい。
【００５９】
また、上記実施形態２では、コード読取装置１０を、脚部４２が開脚した携帯型の状態にする場合、各々の脚部４２が各々の揺動軸４３を中心に揺動する角度θ（図４参照）が９０°である例について説明したが、これに限らない。例えば、角度θは、５０度から９０度の間の角度であればよい。
【００６０】
上記実施形態１、２において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６１】
上記実施形態で示した数値は全て例示であり、これと異なる適宜の数値を用いることができるのは無論である。
【００６２】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００６３】
１０  コード読取装置
１１  制御部
１１ａ  記憶部
１２  通信部
１３  入力部
１４  モード検知部
２０  読取部
３０  把持部
３１  トリガースイッチ
４０  載置部
４１  基台部
４２  脚部
４２ａ  基端部
４３  揺動軸
５０  脚部開閉機構
５１  シャフト
５２  脚部開閉レバー
５２ａ  先端部
５３  押し下げ部
ＡＸ  基準軸
Ｈ１  貫通穴
Ｈ２  ガイド穴
Ｈ３  ガイド穴
Ｈ４  切欠部
Ｖｘ  頂点
θ  角度
【要約】
【課題】ユーザが片手で把持してコード読取装置を使用する際、載置部が周囲の物にぶつかる等して、コードのスムーズな読み取り動作が妨げられる等の悪影響を及ぼすことを抑制できるコード読取装置を提供する。
【解決手段】読取部２０と、把持部３０と、載置部４０とを備え、載置型の状態又は携帯型の状態で使用されるコード読取装置１０であって、揺動軸４３を中心に揺動可能に載置部４０に等角度で設けられた少なくとも３つの脚部４２と、押し下げられることにより、前記少なくとも３つの脚部４２を少なくとも３方向に開脚した前記載置型の状態とし、押し上げられることにより、少なくとも３つの脚部４２を閉脚した前記携帯型の状態とする脚部開閉レバー５２を備えている。
【選択図】図４【図１】
0006926275.tif 000002
【図２】
0006926275.tif 000003
【図３】
0006926275.tif 000004
【図４】
0006926275.tif 000005
【図５】
0006926275.tif 000006
【図６】
0006926275.tif 000007
【図７】
0006926275.tif 000008
【図８】
0006926275.tif 000009
【図９】
0006926275.tif 000010